(57)【要約】【課題】  浴室内から掃除用具等を見えないように収納でき、且つ、入浴者に圧迫感を感じさせない浴室収納装置を提供する。【解決手段】  浴室のコーナー部分に収納スペースＳを設け、この収納スペースＳの前側に開口部を設け、この開口部を開閉する扉１を設けた浴室収納装置において、扉１の横断面を室内側に凹の略Ｒ形状とし、又、浴室のコーナー部分の壁面２に当接固定される横断面略Ｌ字型の後壁部３と、後壁部３の開口側を塞ぎ少なくとも上方の横断面が室内側に凹の略Ｒ形状の前壁部４とを備えてなり、前壁部の横断面が略Ｒ形状の部分に開口部を設け、この開口部に略Ｒ形状の扉を設けた浴室収納装置である。【選択図】図３
2006230534.tif 000002
【特許請求の範囲】
【請求項１】
浴室のコーナー部分に収納スペースを設け、この収納スペースの前側に開口部を設け、この開口部を開閉する扉を設けた浴室収納装置において、扉の横断面を室内側に凹の略Ｒ形状としたことを特徴とする浴室収納装置。
【請求項２】
浴室のコーナー部分の壁面に当接固定される横断面略Ｌ字型の後壁部と、後壁部の開口側を塞ぎ少なくとも上方の横断面が室内側に凹の略Ｒ形状の前壁部とを備えてなり、前壁部の横断面が略Ｒ形状の部分に開口部を設け、この開口部に略Ｒ形状の扉を設けたことを特徴とする請求項１記載の浴室収納装置。
【請求項３】
前壁部の下方に浴室内に突出したカウンターを設けたことを特徴とする請求項２記載の浴室収納装置。
【請求項４】
前壁部のカウンターの下方を開口させ、この開口を開閉する横断面略直線状の下扉を設けたことを特徴とする請求項３記載の浴室収納装置。
【発明の詳細な説明】
【技術分野】
【０００１】
本発明は、浴室内に設けられる浴室収納装置に関する。
【背景技術】
【０００２】
従来から、浴室内のコーナー部分に収納スペースを設けることがなされていた。この例としては、特開平５−２３１０１３号公報に示す如く、浴室のコーナーに、横断面三角で縦長の収納ユニットを設けたものがある。この場合には、壁パネルの角に収納ユニットを設けているため、収納ユニットの設置による浴室スペースの減少を防止することができるが、扉が設けられていないために掃除用具や洗剤等、入浴時に不必要なものを隠すことはできない。又、収納パネルに扉を設けたとしても、収納パネルの横断面が三角形であるために扉も平面になってしまい、特に洗い場スペースの狭い浴室においては入浴者が圧迫感を感じてしまう可能性があった。
【特許文献１】特開平５−２３１０１３号公報
【発明の開示】
【発明が解決しようとする課題】
【０００３】
本願発明は、上記背景技術に鑑みて発明されたものであり、その課題は、浴室内から掃除用具等を見えないように収納でき、且つ、入浴者に圧迫感を感じさせない浴室収納装置を提供することである。
【課題を解決するための手段】
【０００４】
上記課題を解決するために、本願発明は、浴室のコーナー部分に収納スペースを設け、この収納スペースの前側に開口部を設け、この開口部を開閉する扉を設けた浴室収納装置において、扉の横断面を室内側に凹の略Ｒ形状としたものである。
【発明の効果】
【０００５】
本願発明の浴室収納装置においては、収納スペースの前面に扉を設けているため、収納スペースに収納した掃除用具等が浴室から見えなくなり、又、扉の横断面を略Ｒ形状としているため、入浴者に圧迫感を感じさせない。
【発明を実施するための最良の形態】
【０００６】
図１及び図２は、本願の請求項１及び請求項２に対応した実施形態である浴室収納装置を示している。この実施形態の浴室収納装置は、図１及び図２に示す如く、浴室のコーナー部分に収納スペースＳを設け、この収納スペースＳの前側に開口部を設け、この開口部を開閉する扉１を設けた浴室収納装置において、扉１の横断面を室内側に凹の略Ｒ形状としている。
【０００７】
又、浴室のコーナー部分の壁面２に当接固定される横断面略Ｌ字型の後壁部３と、後壁部３の開口側を塞ぎ少なくとも上方の横断面が室内側に凹の略Ｒ形状の前壁部４とを備えてなり、前壁部４の横断面が略Ｒ形状の部分に開口部を設け、この開口部に略Ｒ形状の扉１を設けている。
【０００８】
以下、この実施形態の浴室収納装置を、より具体的詳細に説明する。この実施形態の浴室収納装置は、図１に示すような、浴槽５や折戸６等を備えた一般的な浴室のコーナー部分に設けられる浴室収納装置である。この浴室収納装置は樹脂製で、図２に示す如く、横断面略Ｌ字型の後壁部３と、横断面が略Ｒ形状の前壁部４とを備えてなり、後壁部３の開口を前壁部４が塞いでいる。このとき、前壁部４は、後壁部３に対して凸、すなわち浴室側に凹になるように設けられている。この場合、前壁部４の全面に断面略矩形の開口部を設け、この開口部に横断面が前壁面４に対応した略Ｒ形状の扉１を設けている。この扉１の片側にヒンジ部７を設け、扉１を前後方向に開閉自由に取り付けている。又、扉１のヒンジ部７とは逆側には取っ手８を設けており、この場合、扉１の前面に凹部を設け、取っ手８としている。
【０００９】
又、この浴室収納装置の内部は、図２（ｂ）に示す如く、後壁部３の内側面には取付孔９が設けられており、取付孔９から壁面２に対して釘やビスなどの取付具を取り付けることで、壁面２に固定されるようになっている。又、後壁部３には板状で略直角三角形の棚１０を取り付けられており、棚１０の斜辺部分は扉１の形状に合わせて略Ｒ形状としている。この棚１０の下側には支持片１０ａが設けられ、棚１０を支持している。又、後壁部３と前壁部４の上方及び下方を閉塞する上壁部１１ａ及び下壁部１１ｂが設けられている。この場合、後壁部３、前壁部４、上壁部１１ａ及び下壁部１１ｂが１つのユニットとして形成されており、このユニットを浴室のコーナー部分にはめ込むことで、浴室収納設置が設置できるようになっている。この場合、浴室収納装置を浴室のコーナー部の床から天井までの全長にわたって設けているが、本願発明はこれに限るものではなく、床から天井までの高さの途中までの高さとしても良い。
【００１０】
従って、この実施形態の浴室収納装置においては、浴室のコーナー部分に収納スペースＳを設けているため、浴室の洗い場に十分な空間を残しながら収納スペースＳを設けることができ、狭い浴槽空間を有効に使用できる。又、収納スペースＳの前側に横断面が室内側に凹の略Ｒ形状の扉１を設けているため、収納スペースＳに掃除用具等の入浴時には不必要なものを片付けたとき、扉１を閉めておけば入浴者にはこれらが見えず、すっきりした浴室を提供できる。又、扉１がＲ形状であるため、扉１を設けているにもかかわらず、入浴者に圧迫感を与えることがない。
【００１１】
又、後壁部３と、前壁部４とを備えているため、浴室のコーナー部にあらかじめ組み上げておいた浴室収納装置を設置するだけで施工が完了するため、施工が非常に容易である。それに加え、前壁部４が略Ｒ形状であるため、直角のコーナーに比べて、清掃がしやすい。
【００１２】
なお、この実施例においては、後壁部３と前壁部４により収納ペースＳを形成しているが、浴室のコーナー部分に前壁部４を直接設け、この前壁部４に開口部を設けるとともに、この開口部に扉１を設け、その背面側を収納スペースＳとしてもよい。
【００１３】
図３は、本願の請求項１〜４のすべてに対応した他の実施形態である浴室収納装置を示している。この実施形態の浴室収納装置は、図３に示す如く、前壁部４の下方に浴室内に突出したカウンター１２を設けている。
【００１４】
又、前壁部４のカウンター１２の下方を開口させ、この開口を開閉する横断面略直線状の下扉１３を設けている。
【００１５】
以下、この実施形態の浴室収納装置を、より具体的詳細に説明する。この実施形態の浴室収納装置は、図３に示す如く、前壁部４の下方に浴室側に突出したカウンター１２を設けている。又、前壁部４のカウンター１２よりも下方は、全面にわたって開口しており、その開口を塞ぐ下扉１３を設けている。下扉１３の横断面は略直線状で、左右２つに分かれており、ヒンジ部７を介して開閉自由に固定された観音開き式の扉である。又、下扉１３のそれぞれには取っ手８が設けられている。又、前壁部４のカウンター１２よりも上方は、前述実施形態と同様、横断面Ｒ形状であり、これに設けられる扉１も横断面Ｒ形状となっている。
【００１６】
従って、この実施形態の浴室収納装置においては、前壁部４の下方に浴室内に突出したカウンター１２を設けているため、このカウンター１２にシャンプーや石鹸など、入浴時に必要な道具を置くこともでき、又、入浴者が腰掛けるための椅子としても使用できる。それに加え、カウンター１２の上方に設けられた前壁部４及び扉１の横断面が略Ｒ形状であるため、これらの横断面が直線状のときに比べて、カウンター１２上のスペースを広く確保できる。
【００１７】
又、前壁部４のカウンター１２の下方を開口させ、扉１３を設けているため、カウンター１２の下方も収納スペースとして有効に使え、又、下扉１３を設けているために、収納用品が浴室から見えることがない。又、扉１３の横断面を略直線状としているため、横断面を略Ｒ形状としたときよりも収納スペースＳを広く確保できるとともに、カウンター１２の上方は横断面Ｒ形状の扉１及び前壁部４であるため、入浴者に圧迫感を与えることがない。
【００１８】
なお、その他の構成については前述の実施形態と同じであり、同様の効果を奏する。
【図面の簡単な説明】
【００１９】
【図１】本願発明の実施形態である浴室収納装置を設けた浴室内の平面図。
【図２】本願発明の実施形態である浴室収納装置を示す斜視図で、（ａ）は扉を閉塞したとき、（ｂ）は扉を開放したとき。
【図３】本願発明の他の実施形態である浴室収納装置が設けられた部位を示す斜視図。
【符号の説明】
【００２０】
１    扉
２    壁面
３    後壁部
４    前壁部
５    浴槽
６    折戸
７    ヒンジ部
８    取っ手
９    取付孔
１０    棚
１０ａ  支持片
１１ａ  上壁部
１１ｂ  下壁部
１２    カウンター
１３    下扉
Ｓ    収納スペース
【図１】
2006230534.tif 000003
【図２】
2006230534.tif 000004
【図３】
2006230534.tif 000005